(57)【特許請求の範囲】
【請求項１】
海中に設置した石油又は天然ガス井鋼管４が折損した場合、この鋼管４の折損箇所の孔５より鋼管４の約半分の直径で、その先端に網状円板８を吊下げた長尺の合成樹脂製等の非磁性材の挿入管６を所定の深さまで挿入して静止させた後、挿入管６の上部口７より直径数粍から数十粍の磁石粒20等をばらばらに分散して落下させ、挿入管６の先端の網状円板８の付近の鋼管４の内面に磁力により附着させ又、互いに結合させて塊とし、これにより原油の湧出を抑制した後、挿入管６の上部口7よりコンクリート24を注入して硬化させることを特徴とする海中油井鋼管等の破損による石油等の湧出を閉鎖する方法
【請求項２】
海中に設置した石油又は天然ガス井鋼管４の内部に先端に網状円板８を吊下げた長尺の
合成樹脂等の非磁性材の挿入管６を豫め、鋼管４の折損の起こりやすい海底近辺より更に
深くまで吊下げておき、万一鋼管４に亀裂又は破損が生じた時は、直ちに挿入管６の上部
口７より直径数粍から数十粍の磁石粒20等を分散して落下させて、挿入管６の先端の網状
円板８の付近の鋼管４の内面に磁力により附着させ、又互いに結合させて塊とし、これに
より石油又は天然ガスの湧出を抑制した後、挿入管６の上部口７よりコンクリート24等を
圧入して硬化させることを特徴とする請求項１に記載の海中油井鋼管等の破損による石油等の湧出を閉鎖する方法
【請求項３】
海中に設置した石油又は天然ガス井鋼管４の内部に吊下げられた長尺の合成樹脂等の非
磁性材の挿入管６の内部に磁石粒20等を落下させる時は、挿入管６の上部口７を磁石粒等
送込装置12等により密封して挿入管６内部の流れを抑制した後、送込孔15内の磁石粒20等
を管内部に落下させることにより磁石粒20等は抵抗無く沈下して挿入管６の下端に達し、
鋼管４内の石油等の流れにのって挿入管６に取付けた円錐金網11に達し、これに遮られ、
鋼管４の内面に磁力により附着し、この附着面は順次下方に拡がり、挿入管６の先端の網
状円板８まで達し、更に鋼管４内部に満ち、磁力により塊となって石油又は天然ガスの湧
出を抑制した後、挿入管６の上部の球型弁19等を開いてコンクリート24等を圧入して、硬
化させることを特徴とする請求項１に記載の海中油井鋼管等の破損による石油等の湧出を閉鎖する方法
【請求項４】
ポリエチレン管の管肉内の中央周上に多数本の柔軟性のある鋼索27を管軸方向に埋設し、この鋼索27の重量により海中に沈降しうるようにした鋼索補強ポリエチレン製挿入管を使用することを特徴とする請求項１乃至３いずれかに記載の海中油井鋼管等の破損による石油等の湧出を閉鎖する方法
【発明の詳細な説明】
【技術分野】
【０００１】
本発明は海に設置された原油又は天然ガス吸上げ用鋼管が折損した場合に、この鋼管よ
り流出する油等を閉鎖する。
【背景技術】
【０００２】
海中油井鋼管破損孔より油が流出したとき、これを閉鎖する方法として、この孔より挿
入管を差込み、コンクリートを注入しても油の湧出圧により押し返され、海水中に分散さ
れ硬化できない
【０００３】
このため別の方法として、海底に埋設している場所の近くに、別の鋼管一本を掘り下げ
て、海底土中に埋設している場所の破損鋼管の横腹に連結し、この別の鋼管より遮蔽物を
押し込んで油の湧出を抑制した後、コンクリートの注入を行う方法が採用されることもあ
る。然しこの方法は困難な大工事であり、短時間では解決することは困難である。
【発明の概要】
【発明が解決しようとする課題】
【０００４】
本発明は海中油井鋼管破損孔より挿入管を差し込んだだけでコンクリートを注入しても
油の湧出圧により押し返されるため、コンクリート注入に先立って原油の湧出を豫め抑制
する方法を採用することが必要である。
【課題を解決するための手段】
【０００５】
海中に設置した石油又は天然ガス井鋼管４が折損した場合、この鋼管４の折損箇所の孔５より鋼管４の約半分の直径で、その先端に網状円板８を吊下げた長尺の合成樹脂等の非磁性材の挿入管６を所定の深さまで挿入して静止させた後、挿入管６の上部口７より直径数粍から数十粍の磁石粒20等をばらばらに分散して落下させ、挿入管６の先端の網状円板８の付近の鋼管４の内面に磁力により附着させ又、互いに結合させて塊とし、これにより原油の湧出を抑制した後、挿入管６の上部口７よりコンクリート24を注入して硬化させて石油等の湧出を閉鎖する方法
【０００６】
海中に設置した石油又は天然ガス井鋼管４の内部に先端に網状円板８を吊下げた長尺の
合成樹脂等の非磁性材の挿入管６を豫め、鋼管４の折損の起こりやすい海底近辺より更に
深くまで吊下げておき、万一鋼管４に亀裂又は破損が生じた時は、直ちに挿入管６の上部
口７より直径数粍から数十粍の磁石粒20等を分散して落下させて、挿入管６の先端の網状
円板８の付近の鋼管４の内面に磁力により附着させ、又互いに結合させて塊とし、これに
より石油又は天然ガスの湧出を抑制した後、挿入管６の上部口７よりコンクリート24等を
圧入して硬化させて石油等の湧出を閉鎖する方法。
【０００７】
海中に設置した石油又は天然ガス井鋼管４の内部に吊下げられた長尺の合成樹脂等の非
磁性材の挿入管６の内部に磁石粒20等を落下させる時は挿入管６の上部口７を磁石粒等送
込装置12等により密封して挿入管６内部の流れを抑制した後、送込孔15内の磁石粒20等を
管内部に落下させることにより磁石粒20等は抵抗無く沈下して挿入管６の下端に達し、鋼
管４内の石油等の流れにのって挿入管６に取付けた円錐金網11に達し、これに遮られ、鋼
管４の内面に磁力により附着し、この附着面は順次下方に拡がり、挿入管６の先端の網状
円板８まで達し、更に鋼管４内部に満ち、磁力により塊となって石油又は天然ガスの湧出
を抑制した後、挿入管６の上部の球型弁19等を開いてコンクリート24等を圧入して、硬化
させて石油又は天然ガスの湧出を閉鎖する方法
【図面の簡単な説明】
【０００８】
【図１】本発明の実施形態の実施例として海中油井管破損孔よりの流出油の閉鎖方法    を示す縦断面図
【図２】図１の一部拡大縦断面図
【図３】図２のＡ−Ａ断面図
【図４】本発明の実施形態の実施例として、挿入管を取付けた鋼管に亀裂の入った状    態を示す縦断面図
【図５】図４の一部拡大縦断面図
【図６】図５のＢ−Ｂ断面図
【図７】本発明の実施形態の実施例として、鋼管内に磁石粒充填の初段階の状態を示    す縦断面図
【図８】同上鋼管内に磁石粒充填の終段階の状態を示す縦断面図
【図９】本発明の挿入管の上に磁石粒等送込装置を取付けた状態を示す縦断面図
【図１０】図９のＣ−Ｃ断面図
【図１１】本発明の実施のために使用する鋼索補強ポリエチレン製挿入管の縦断面図
【図１２】図11のＤ−Ｄ断面図
【発明を実施するための形態】
【０００９】
海中に設置した石油又は天然ガス井鋼管４折損した場合、この鋼管４の折損箇所の孔５より鋼管４の約半分の直径で、その先端に網状円板８を吊下げた長尺の合成樹脂等の非磁性材の挿入管６を所定の深さまで挿入して静止させた後、挿入管６の上部口７より直径数粍から数十粍の磁石粒20等をばらばらに分散して落下させ、挿入管６の先端の網状円板８の付近の鋼管４の内面に磁力により附着させ又、互いに結合させて塊とし、これにより原油の湧出を抑制した後、挿入管６の上部口７よりコンクリート24を注入して硬化させて石油等の湧出を閉鎖する方法
【００１０】
海中に設置した石油又は天然ガス井鋼管４の内部に先端に網状円板８を吊下げた長尺の
合成樹脂等の非磁性材の挿入管６を豫め、鋼管４の折損の起こりやすい海底近辺より更に
深くまで吊下げておき、万一鋼管４に亀裂又は破損が生じた時は、直ちに挿入管６の上部
口７より直径数粍から数十粍の磁石粒20等を分散して落下させて、挿入管６の先端の網状
円板８の付近の鋼管４の内面に磁力により附着させ、又互いに結合させて塊とし、これに
より石油又は天然ガスの湧出を抑制した後、挿入管６の上部口７よりコンクリート24等を
圧入して硬化させて石油等の湧出を閉鎖する方法。
【００１１】
挿入管６はポリエチレン管、鋼索補強ポリエチレン管、耐衝撃性塩化ビニール管及びス
テンレス鋼管等の非磁性材の材質を用いる。そして挿入管６としては鋼管４の折損時、こ
れに耐えうるよう管肉内の中央週上に多数本の柔軟性のある鋼索19を管軸方向に埋設して
補強した鋼索補強ポリエチレン26は最適である。鋼索19の表面は凹凸があるためポリエチ
レン樹脂とは密着し、一体化することが出来る。猶、この管の接続のための管継手28は外
周面近くに補強用金網29を、又、内周面近くにはニクロム線30を埋め込み射出成型により
製造する。この内周の受口に鋼索補強ポリエチレン管26の管端を差込み、ニクロム線の端
子31に通電して両者を融着することにより、引張外力に充分耐えることができる。
【００１２】
磁石粒20は数粍より数十粍のの大きさで、砂等と混ぜて送込孔15に入れて回転し落下さ
せてもよい。磁石粒20の形状としては球型、円形台型、墓石型、サイコロ型、水滴型、丸
棒型、角棒型等がある。又、鋼球、砂鉄等と混ぜて使用してもよい。
【００１３】
多数の磁石粒20を同時に投下する場合その各粒を粘土で包むか、又は大量の砂に混在さ
せて、大型の磁石粒等を密封して投下する装置により一気に投下する方法をとる。
【００１４】
海中に設置した石油又は天然ガス井鋼管４の内部に先端に網状円板８及び円錐金網11を
取付けた長尺の合成樹脂等の非磁性材の挿入管６を豫め鋼管４の折損の起りやすい海底近
辺より更に深く図４に示すように海底地盤の中まで降下させる。
【００１５】
網状円板８は銅合金又はステンレス鋼の吊棒９により吊下げる構造とし、円錐金網11は
銅合金又はステンレス鋼で製作し、その外周は鋼管4の内周に接する寸法とする。円錐金
網11の代わりに薄肉円筒の上半分を細かく縦割りして拡げた茶筅状金物を使用してもよい
。
【００１６】
磁石粒等送込み装置12の回転円板14の外周16及び両側面17は、その装置本体18と隙間な
しに摺動し回転するように制作され、挿入管6内部の石油等を完全に密封できる。従って
石油等の上昇の流れは完全に防止できる。
【００１７】
磁石粒20等をこの回転円板14の送込孔15に入れて回転して、順次降下させると挿入管6
内の石油等の流れは抑制されているため磁石粒等20は抵抗なく沈下して挿入管6の下端に
達し、鋼管4内の石油等の流れにのって、図7に示す矢印Ａの方向に押し流されて挿入管6
に取付けた円錐金網11に達し、これに遮られ鋼管４の内面に磁力により附着し、この附着
面は順次下方に拡がり挿入管６の先端の網状円板８まで達し、更に鋼管４内部に満ち、磁
力により塊となって石油又は天然ガスの湧出を抑制した後、挿入管６の上部の球型弁19等
を開いてコンクリート24等を圧入して硬化させて石油又は天然ガスの湧出を閉鎖すること
ができる。
【産業上の利用可能性】
【００１８】
鋼管４が破損しない時は挿入管６の上部、球型弁19より石油等を吸出すことは可能であ
る。
【００１９】
配管破損の緊急時に、この磁石粒使用の方法は広く使用することができる
【符号の説明】
【００２０】
１・ .・海面
２・ .・海底
３・ .・海水
４・・・油井鋼管
５・・・油井鋼管の折損箇所
６・・・挿入管
７・・・挿入管の上部口
８・・・網状円板
９・・・網状円板の吊棒
10・・・吊棒の取付ボルト
11・・・円錐金網
12・・・磁石粒等送込装置
13・・・装置本体
14・・・回転円板
15・・・回転円板の送込孔
16・・・回転円板の外周
17・・・回転円板の側面
18・・・回転円板駆動用モータ
19・・・球型弁
20・・・磁石粒
21・・・砂まじりの磁石粒
22・・・小石
23・・・鋼球
24・・・コンクリート
25・・・架台
26・・・鋼索補強ポリエチレン管
27・・・鋼索
28・・・補強ポリエチレン管継手
29・・・補強用金網
30・・・ニクロム線
31・・・ニクロム線の端子
【要約】      （修正有）【課題】海に設置された原油、又は天然ガス吸上げ用鋼管が折損した場合に、この鋼管より流出する油を閉鎖する方法を提供する。【解決手段】深海の油井鋼管４が海中において折損した場合、この鋼管４の折損箇所の孔５より鋼管４の約半分の直径で、その先端に網状円板８を吊下げた長尺の合成樹脂製等の非磁性材の挿入管６を所定の深さまで挿入して静止させた後、挿入管６の上部口７より直径数粍から数十粍の磁石粒等をばらばらに分散して落下させ、挿入管６の先端の網状円板８の付近の鋼管４の内面に磁力により附着させ又、互いに結合させて塊とし、これにより原油の湧出を抑制した後、挿入管６の上部口７よりコンクリートを注入して硬化させて石油等の湧出を閉鎖するようにした。【選択図】図１【図１】
0004789050.tif 000002
【図２】
0004789050.tif 000003
【図３】
0004789050.tif 000004
【図４】
0004789050.tif 000005
【図５】
0004789050.tif 000006
【図６】
0004789050.tif 000007
【図７】
0004789050.tif 000008
【図８】
0004789050.tif 000009
【図９】
0004789050.tif 000010
【図１０】
0004789050.tif 000011
【図１１】
0004789050.tif 000012
【図１２】
0004789050.tif 000013